(57)【要約】【課題】折畳み式の作業台を折畳んだ状態で容易に移動可能としたキャスタ装置を提供する。【解決手段】天板(2)の４隅近傍に脚部(3)を設け、前記脚部を天板から下向きとして垂設させた展開姿勢と、天板の下側に格納させた折畳み姿勢の間で、姿勢変更自在とする枢結機構(4)を設けた作業台において、軸支部材(13)に車輪(14)を軸支して成るキャスタ(12)と、前記キャスタ(12)を前記天板(2)の下側で側縁部(8)から内側の内部空間(S1)に格納させた格納姿勢(P1)と、前記側縁部(8)から外側の外部空間(S2)に突出させた突出姿勢(P2)の間で、進退移動させることにより姿勢変更自在とするキャスタ支持機構(15)と、前記キャスタ(12)の格納姿勢(P1)を保持する格納姿勢保持手段(16)と、前記キャスタ(12)の突出姿勢(P2)を保持する突出姿勢保持手段(17)を設けている。【選択図】図２
2018188000.tif 000002
【特許請求の範囲】
【請求項１】
天板(2)の４隅近傍に脚部(3)を設け、前記脚部を天板から下向きとして垂設させた展開姿勢と、天板の下側に格納させた折畳み姿勢の間で、姿勢変更自在とする枢結機構(4)を設けた作業台において、
軸支部材(13)に車輪(14)を軸支して成るキャスタ(12)と、
前記キャスタ(12)を前記天板(2)の下側で側縁部(8)から内側の内部空間(S1)に格納させた格納姿勢(P1)と、前記側縁部(8)から外側の外部空間(S2)に突出させた突出姿勢(P2)の間で、進退移動させることにより姿勢変更自在とするキャスタ支持機構(15)と、
前記キャスタ(12)の格納姿勢(P1)を保持する格納姿勢保持手段(16)と、前記キャスタ(12)の突出姿勢(P2)を保持する突出姿勢保持手段(17)を設けて成ることを特徴とする作業台におけるキャスタ装置。
【請求項２】
前記キャスタ支持機構(15)は、前記キャスタ(12)の軸支部材(13)から前記進退移動方向に向けて延びるスライダ(18)と、天板(2)の下側で前記スライダを摺動自在に保持するホルダ(19)を備え、
前記スライダ(18)とホルダ(19)の間に、キャスタ(12)を前記格納姿勢(P1)とする方向に弾発付勢するスプリング(22)を設け、該スプリング(22)により前記格納姿勢保持手段(16)を構成し、
前記スプリングに抗してスライダ(18)を移動することによりキャスタを前記突出姿勢(P2)としたとき、前記突出姿勢保持手段(17)により該突出姿勢を保持させるように構成して成ることを特徴とする請求項１に記載の作業台におけるキャスタ装置。
【請求項３】
前記スライダ(18)は、前記ホルダ(19)に摺動自在かつ回動自在に保持されると共に、前記キャスタ(12)の軸支部材(13)を該スライダ(18)の側方に突出した状態で固着することにより該突出方向に車輪(14)の接地面を露出させており、
前記スライダ(18)を摺動することにより、キャスタ(12)を格納姿勢(P1)と突出姿勢(P2)の間で移動させると共に、回動することにより、該スライダ(18)を中心として前記軸支部材(13)を下向き姿勢(Pd)と上向き姿勢(Pu)の間で旋回させるように構成し、
前記突出姿勢保持手段(17)は、前記軸支部材(13)に設けた係止部(28)により形成されており、キャスタ(12)を突出姿勢(P2)とした状態で、軸支部材(13)を上向き姿勢(Pu)としたとき前記係止部(28)を天板の側縁部(8)に係止し、軸支部材(13)を下向き姿勢(Pd)としたとき前記係止部(28)を天板の側縁部(8)から離脱させるように構成して成ることを特徴とする請求項２に記載の作業台におけるキャスタ装置。
【請求項４】
前記スライダ(18)とホルダ(19)の相互に、スライダを摺動自在な状態で回動不能に係止する廻り止め手段(24)を設けており、
前記廻り止め手段(24)は、キャスタ(12)が突出姿勢(P2)とされたとき前記係止を解除することによりスライダ(18)を回動自在とするように構成されて成ることを特徴とする請求項２又は３に記載の作業台におけるキャスタ装置。
【請求項５】
天板(2)の側縁部(8)は、該天板の上面から下向きに折曲された側端面(6b)と、該側端面から前記内部空間(S1)に向けて折曲された側下面(6c)を備え、前記側端面(6b)と側下面(6c)の間に鋭角の折曲角度θ１を形成しており、
前記突出姿勢保持手段(17)を構成する軸支部材(13)の係止部(28)は、キャスタ(12)を突出姿勢(P2)として軸支部材(13)を上向き姿勢(Pu)としたとき、前記側端面(6b)に係止する第１係止部(8a)と前記側下面(6c)に係止する第２係止部(28b)を備えて成ることを特徴とする請求項３又は４に記載の作業台におけるキャスタ装置。
【請求項６】
天板(2)の側縁部(8)の下側に前記内部空間(S1)に向かう側下面(6c)を設けた作業台において、
前記軸支部材(13)の側部に操作片(27)を設けており、
前記操作片(27)は、キャスタ(12)を突出姿勢(P2)とした状態で、軸支部材(13)を下向き姿勢(Pd)から上向き姿勢(Pu)とするように旋回したとき、前記側下面(6c)に当接するストッパ(29)を構成して成ることを特徴とする請求項３、４又は５に記載の作業台におけるキャスタ装置。
【発明の詳細な説明】
【技術分野】
【０００１】
本発明は、折畳み式の作業台を折畳んだ状態で容易に移動可能としたキャスタ装置に関する。
【背景技術】
【０００２】
従来、折畳み式の作業台を折畳み状態で移動させる際の便宜のため、キャスタを設けたものが提案されている。
【先行技術文献】
【特許文献】
【０００３】
【特許文献１】特開２００３−２３９５２７号公報
【発明の概要】
【発明が解決しようとする課題】
【０００４】
特許文献１により提案された作業台は、梯子枠を構成する脚部の下端部の内側にキャスタを取付け、脚部を折畳んだ状態で作業台を地面に対して傾斜させたとき、キャスタが地面に臨まされるように構成している。
【０００５】
従って、作業者は、キャスタを地面の上で転動させながら、折畳んだ作業台を牽引することにより、容易に移動させることができる利点がある。
【０００６】
しかしながら、キャスタは、常時、脚部から内向きに突出状態で取付けられているので、種々の問題がある。
【０００７】
例えば、高所作業を行う際、展開した脚部を地面に設置した状態で、キャスタが地面近傍の脚部から突出しているので、作業者その他の者がつまずき、作業台を転倒させるおそれがある。
【０００８】
また、不使用時の作業台を保管するとき、作業台を折畳んだ状態でもキャスタが脚部から突出しているので、複数の作業台を安定状態で積層することが困難であり、しかも、突出したキャスタが異物に衝突して破損するおそれがある。
【０００９】
このため、本発明は、キャスタを必要時には突出姿勢とするが不必要時には格納姿勢として良好に格納することができ、しかも、突出姿勢と格納姿勢の間の姿勢変更が容易であり、更に、折畳んだ作業台の移動中、突出したキャスタが作業台の荷重を受けても突出姿勢を良好に保持することができるように構成したキャスタ装置の提供を課題としている。
【課題を解決するための手段】
【００１０】
そこで、本発明が手段として構成したところは、天板の４隅近傍に脚部を設け、前記脚部を天板から下向きとして垂設させた展開姿勢と、天板の下側に格納させた折畳み姿勢の間で、姿勢変更自在とする枢結機構を設けた作業台において、軸支部材に車輪を軸支して成るキャスタと、前記キャスタを前記天板の下側で側縁部から内側の内部空間に格納させた格納姿勢と、前記側縁部から外側の外部空間に突出させた突出姿勢の間で、進退移動させることにより姿勢変更自在とするキャスタ支持機構と、前記キャスタの格納姿勢を保持する格納姿勢保持手段と、前記キャスタの突出姿勢を保持する突出姿勢保持手段を設けて成る点にある。
【００１１】
好ましくは、前記キャスタ支持機構は、前記キャスタの軸支部材から前記進退移動方向に向けて延びるスライダと、天板の下側で前記スライダを摺動自在に保持するホルダを備え、前記スライダとホルダの間に、キャスタを前記格納姿勢とする方向に弾発付勢するスプリングを設け、該スプリングにより前記格納姿勢保持手段を構成し、前記スプリングに抗してスライダを移動することによりキャスタを前記突出姿勢としたとき、前記突出姿勢保持手段により該突出姿勢を保持させるように構成している。
【００１２】
本発明の好ましい実施形態において、前記スライダは、前記ホルダに摺動自在かつ回動自在に保持されると共に、前記キャスタの軸支部材を該スライダの側方に突出した状態で固着することにより該突出方向に車輪の接地面を露出させており、前記スライダを摺動することにより、キャスタを格納姿勢と突出姿勢の間で移動させると共に、回動することにより、該スライダを中心として前記軸支部材を下向き姿勢と上向き姿勢の間で旋回させるように構成し、前記突出姿勢保持手段は、前記軸支部材に設けた係止部により形成されており、キャスタを突出姿勢とした状態で、軸支部材を上向き姿勢としたとき前記係止部を天板の側縁部に係止し、軸支部材を下向き姿勢としたとき前記係止部を天板の側縁部から離脱させるように構成している。
【００１３】
前記スライダとホルダの相互に、スライダを摺動自在な状態で回動不能に係止する廻り止め手段を設けており、前記廻り止め手段は、キャスタが突出姿勢とされたとき前記係止を解除することによりスライダを回動自在とするように構成されている。
【００１４】
好ましくは、天板の側縁部は、該天板の上面から下向きに折曲された側端面と、該側端面から前記内部空間に向けて折曲された側下面を備え、前記側端面と側下面の間に鋭角の折曲角度θ１を形成しており、前記突出姿勢保持手段を構成する軸支部材の係止部は、キャスタを突出姿勢として軸支部材を上向き姿勢としたとき、前記側端面に係止する第１係止部と前記側下面に係止する第２係止部を備えている。
【００１５】
更に好ましくは、天板の側縁部の下側に前記内部空間に向かう側下面を設けた作業台において、前記軸支部材の側部に操作片を設けており、前記操作片は、キャスタを突出姿勢とした状態で、軸支部材を下向き姿勢から上向き姿勢とするように旋回したとき、前記側下面に当接するストッパを構成している。
【発明の効果】
【００１６】
本発明によれば、作業台１の脚部を展開姿勢として高所作業のために使用する場合や、折畳んで保管する場合、キャスタ１２を格納姿勢Ｐ１として保持することができる。このため、作業台１により高所作業を行うときに作業者の足がキャスタ１２に引っ掛かるようなことはなく、安全に作業を行うことができる。
【００１７】
その一方にいて、作業台１を作業場所に応じて移動する場合、或いは、作業場所から保管場所に移動する場合等は、折畳んだ作業台１に対して、キャスタ１２を突出姿勢Ｐ２とし保持させれば、車輪１４を地面の上で転動することにより、重量物とされた作業台を容易に移動することができる利点がある。
【００１８】
そして、本発明によれば、キャスタ１２を格納姿勢Ｐ１と突出姿勢Ｐ２の間で姿勢変更するための構成が簡単であると共に、操作性が極めて良好であり、更に、突出姿勢Ｐ２とすることにより折畳んだ作業台を地面上で移動する際、重量物とされた作業台の荷重を好適に支持し、移動中の移動方向の変更等により車輪１４に対して荷重やトルクが作用しても、軸支部材１３が好適に耐え、姿勢を崩すことはなく、キャスタ１２としての機能を好適に果たすことができるという効果がある。
【図面の簡単な説明】
【００１９】
【図１】本発明の１実施形態に係るキャスタ装置を設けた作業台の１例を示す斜視図である。
【図２】キャスタ装置を示しており、（Ａ）はキャスタを作業台の天板から突出させた状態を示す斜視図、（Ｂ）はキャスタを利用することにより折畳んだ作業台を移動している状態を示す正面図である。
【図３】天板の下面を上向きとした状態を示しており、キャスタ支持機構を分解状態で示す斜視図である。
【図４】キャスタ支持機構を構成するスライダとホルダを分解状態で示す斜視図である。
【図５】キャスタ装置の作用に関して、キャスタを格納姿勢としてキャスタ及び軸支部材を下向き姿勢とした状態を示す斜視図である。
【図６】キャスタ装置の作用に関して、キャスタを突出姿勢としてキャスタ及び軸支部材を上向き姿勢とした状態を示す斜視図である。
【図７】キャスタ装置の作用を示しており、（Ａ）は格納姿勢とされたキャスタを格納姿勢保持手段により保持した状態を示す斜視図、（Ｂ）は突出姿勢とされたキャスタの旋回前の状態を示す斜視図、（Ｃ）突出姿勢とされたキャスタを旋回後に突出姿勢保持手段により保持した状態を示す斜視図である。
【発明を実施するための形態】
【００２０】
以下図面に基づいて本発明の好ましい実施形態を詳述する。
【００２１】
（作業台の１例）
本発明のキャスタ装置を設ける作業台は、建設現場等において高所作業のために使用される種々の形式のものを広く含む汎用の作業台であり、従って、その形状や大きさを特に限定するものではないが、その１例を図１に示している。
【００２２】
図例の場合、作業台１は、天板２の４隅近傍に脚部３を設け、前記脚部３を天板２から下向きとして垂設させた展開姿勢と、天板２の下側に格納させた折畳み姿勢の間で、姿勢変更自在とする枢結機構４を設けている。図例の場合、天板２は、矩形板状に形成された床材５の短手辺と長手辺にそれぞれ妻側フレーム６と桁側フレーム７を設け、それぞれのフレームにより形成された妻側縁部８ａと桁側縁部８ｂを天板２の側縁部８としている。
【００２３】
前記脚部３は、枢結機構４を介して図示矢印のように回動することにより、展開姿勢と折畳み姿勢の間で姿勢変更自在とされ、それぞれの姿勢とした状態で、妻側フレーム６に設けられたロック手段９（図３参照）により保持される。天板２の妻側縁部８ａにおいて対向する一対の脚部３、３を係脱自在に係止するように、妻側縁部８ａの内側に沿って一対のロック手段９、９が設けられており、図示省略したスプリングと共に妻側フレーム６に内装され、先端を妻側フレーム６の両端から突出するように付勢されている。一対のロック手段９、９は、相互に対向する端部を下向きに折曲することにより摘み部９ａ、９ａを備えており、両摘まみ部９ａ、９ａを図３に矢印Ｍで示すように相互に近接する方向に移動させると、前記先端部を後退させ、脚部３、３の係止を解除することにより回動自在とする。
【００２４】
天板２の妻側縁部８ａにおいて対向する一対の脚部３、３は、踏桟１０により連結された梯子脚を構成しており、各脚部３の上端部に手掛かり棒１１の基端部が枢結されている。手掛かり棒１１は、天板２の上方に向けて脚部３から起立する直立姿勢と、該直立姿勢から反転することにより脚部３に重ね合わせられる重合姿勢の間で、回動自在とされ、図示省略したロック手段によりそれぞれの姿勢で保持される。
【００２５】
その結果、作業台１は、手掛かり棒１１を脚部３に重合させた状態で、該脚部３により構成された梯子脚を天板２の下側に回動させることにより、コンパクトに折畳まれ、その状態で、移動ないし運搬、或いは、保管することができるように構成されている。
【００２６】
前記妻側フレーム６は、図２（Ａ）に示すように、天板２の側縁部上面を形成する側上面６ａと、該側上面６ａから下向きに折曲された側端面６ｂと、該側端面６ｂから内向きに折曲された側下面６ｃを備え、側端面６ｂと側下面６ｃの折曲縁を交差する垂線を境界線Ｌとして、該妻側フレーム６を含む天板２の下側において境界線Ｌから内側を内部空間Ｓ１、外側を外部空間Ｓ２としている。
【００２７】
（キャスタ装置）
本発明は、図２（Ｂ）に示すように、作業台１を折畳んだ状態で地面に対して傾斜させたとき、地面に臨まされるキャスタ１２を備えたキャスタ装置を設けている。キャスタ１２は、軸支部材１３に車輪１４を軸支することにより構成されており、従って、作業者は、車輪１４を地面の上で転動させながら、折畳んだ作業台１を牽引することにより、容易に移動させることができる。尚、図２（Ａ）は、理解の便宜のため、脚部３を展開姿勢とした状態で妻側縁部８ａから突出させたキャスタ１２を示しているが、本来、脚部３を展開姿勢として作業台１により高所作業を行うときは、キャスタ１２は格納姿勢Ｐ１としておくことが望ましい。
【００２８】
キャスタ１２は、天板２の下側で側縁部８から内側の内部空間Ｓ１に格納させた格納姿勢Ｐ１と、前記側縁部８から外側の外部空間Ｓ２に突出させた突出姿勢Ｐ２の間で、進退移動させることにより姿勢変更自在に構成されている。
【００２９】
そこで、キャスタ装置は、このようなキャスタ１２の姿勢変更を可能にするためのキャスタ支持機構１５と、キャスタ１２を格納姿勢Ｐ１とした状態で保持する格納姿勢保持手段１６と、キャスタ１２を突出姿勢Ｐ２とした状態で保持する突出姿勢保持手段１７を設けている。
【００３０】
キャスタ装置は、キャスタ１２を天板２の側縁部８のうち、桁側縁部８ｂに対して格納姿勢と突出姿勢を可能とするように配置しても良いが、図示実施形態のように、妻側縁部８ａに対して格納姿勢と突出姿勢を可能とするように配置することが好ましく、これにより図２（Ｂ）に示すように、作業者が地面に立った姿勢のままで折畳んだ作業台１を牽引することができるので、移動作業が容易となる。
【００３１】
以下、図３ないし図７に基づいてキャスタ装置の１実施形態を詳述するが、天板２の下側を示す関係上、天板２の下側を上向きとして図示し、矢印Ｄにより天板２の下向き方向を示すと共に、矢印Ｕにより天板２の上向き方向を示している。
【００３２】
図３ないし図６に示すように、キャスタ支持機構１５は、キャスタ１２の軸支部材１３から前記進退移動方向に向けて延びるスライダ１８と、天板２の下側で前記スライダ１８を摺動自在に保持するホルダ１９により構成されている。
【００３３】
前記スライダ１８は、丸棒状のロッドにより形成され、該ロッドの一端部の側面に前記キャスタ１２の軸支部材１３を側方に突出した状態で固着し、該軸支部材１３の突出方向に車輪１４の接地面を露出させており、他端部に雄ネジ１８ａを形成している。従って、キャスタ１２を構成する車輪１４及び軸支部材１３は、スライダ１８をロッドの軸線廻りに回動することにより、スライダ１８から下向き方向Ｄに突出する下向き姿勢Ｐｄと、上向き方向Ｕに突出する上向き姿勢Ｐｕの間で、旋回させられるように構成されている。
【００３４】
前記ホルダ１９は、前記スライダ１８を摺動自在かつ回動自在に保持する円筒体等の保持部材２０により形成され、該保持部材２０に固着された取付台２１を介して天板２の下側にリベット等の固着具により取付固定されている。図示実施形態の場合、天板２の床材５は下側に断面Ｔ形のリブ５ａを設けており、該リブ５ａの平板部に取付台２１を載置した状態で固定している。
【００３５】
前記スライダ１８は、キャスタ１２を外部空間Ｓ２に臨ませた状態で、ロッドの先端を内部空間Ｓ１に向けて前記ホルダ１９に挿通させられ、ロッドの挿出部にコイルスプリングから成るスプリング２２を外挿した状態で、前記雄ネジ部１８ａにナットから成るバネ受部材２３が取着される。
【００３６】
従って、スプリング２２は、ホルダ１９とバネ受部材２３の間で圧縮され、キャスタ１２を格納姿勢Ｐ１とする方向に弾発付勢する。キャスタ１２は、軸支部材１３をホルダ１９に当接することにより格納姿勢Ｐ１とされ、弾発付勢力により該格納姿勢Ｐ１を保持させられるので、図示実施形態の場合、スプリング２２により格納姿勢保持手段１７が構成されている。
【００３７】
前記スライダ１８とホルダ１９の相互には、スライダ１８を摺動自在な状態で回動不能に係止する廻り止め手段２４が設けられている。図示実施形態の場合、廻り止め手段２４は、スライダ１８の側面に突設した突起２５と、スライダ１３の進退移動方向に向けてホルダ１９の側部に開設したスリット２６により構成されており、スリット２６は、ホルダ１９の端部に開口部２６ａを有している。
【００３８】
そこで、キャスタ１２を格納姿勢Ｐ１としたとき、前記突起２５がスリット２６に係止することにより、スライダ１８を回動不能に保持すると共に、キャスタ１２を下向き姿勢Ｐｄとして保持する。従って、廻り止め手段２４は、格納姿勢Ｐ１とされたキャスタ１２を下向き姿勢Ｐｄとして保持するための姿勢保持手段として機能する。
【００３９】
図５に鎖線で示すように、スプリング２２に抗してスライダ１８を外部空間Ｓ２に向けて摺動させ、キャスタ１２を突出姿勢Ｐ２としたとき、前記突起２５がスリット２６の開口部２６ａから脱出して係止を解除することにより、スライダ１８を回動自在とする。この際、キャスタ１２は、軸支部材１３の側部に操作片２７を設けている。従って、作業者は、操作片２７を指先で把持し外部空間Ｓ２に向けて引き寄せることにより、容易にキャスタ１２を突出姿勢Ｐ２に向けて移動することができ、更に、操作片２７を把持したままでスライダ１８の軸廻りにキャスタ１２を旋回させることができる。図例の場合、操作片２７は、ロッドにより形成され、軸支部材１３から側方に向けて延びる基部２７ａと、該基部２７ａの先端で折曲されスライダ１８の軸方向に延びる先端部２７ｂを備えている。
【００４０】
そこで、図６に示すように、キャスタ１２を突出姿勢Ｐ２とした状態で旋回させることにより上向き姿勢Ｐｕとしたとき、キャスタ１２の軸支部材１３に設けられた係止部２８が天板２の妻側縁部８ａに形成された側端面６ｂに係止することにより、スプリング２２によりキャスタ１２が格納姿勢Ｐ１に向けて戻ることを阻止する。従って、係止部２８により突出姿勢保持手段１７が構成されている。同時に、係止部２８は、突出姿勢Ｐ２とされたキャスタ１２を上向き姿勢Ｐｕとして保持するための姿勢保持手段として機能する。
【００４１】
図示実施形態の場合、図４に示すように、天板２の妻側縁部８ａを構成する妻側フレーム６の側端面６ｂと側下面６ｃは、相互に鋭角の折曲角度θ１で折曲されており、これに対して、前記係止部２８は、前記側端面６ｂに係止する第１係止部２８ａと、前記側下面６ｃに係止する第２係止部２８ｂを備えており、好ましくは、第１係止部２８ａと第２係止部２８ｂの相互間の角度θ２を前記θ１に一致するように構成している。
【００４２】
従って、操作片２７を指先で把持することにより、キャスタ１２を突出姿勢Ｐ２とした状態で旋回し、上向き姿勢Ｐｕとすることにより、前記第１係止部２８ａを側端面６ｂに対向させた状態で、操作片２７を指先から放つと、スプリング２２の弾発付勢力により第１係止部２８ａが側端面６ｂに当接し係止する。この状態で、前記角度θ２を介して隣接する第１係止部２８ａと第２係止部２８ｂがそれぞれ前記折曲角度θ１を介して隣接する側端面６ｂと側下面６ｃを抱持する状態で係止するので、キャスタ１２の旋回が好適に阻止され、突出姿勢Ｐ２かつ上向き姿勢Ｐｕの状態を保持する。
【００４３】
キャスタ１２を下向き姿勢Ｐｄから上向き姿勢Ｐｕとするように旋回したとき、図６に示すように、前記操作片２７が側下面６ｃに当接することにより、旋回位置を規制するストッパ２９を構成する。従って、作業者が操作片２７を把持してキャスタ１２を旋回させる際、上向き姿勢Ｐｕを越えて行き過ぎた位置まで旋回させる誤操作のおそれがなく、操作性が良い。
【００４４】
図７に示すように、キャスタ１２をキャスタ支持機構１５で支持した本発明のキャスタ装置は、天板２の妻側縁部８ａに２組又はそれ以上の複数組を設けることが好ましい。２組のキャスタ１２、１２を設けた図示実施形態の場合、前記操作片２７は、それぞれのキャスタ１２から天板２の桁側縁部８ｂに向けて突出するように、相互に対称として配置することが好ましい。これにより、後述するように、突出姿勢Ｐ２としたキャスタ１２、１２を回動することにより上向き姿勢Ｐｕとしたとき、操作片２７の先端部２７ｂがロック手段９の摘み部９ａと干渉する位置に配置され、ロック手段９の摘み部９ａを係止解除方向Ｍに向けて移動不能とするように係止する（図７（Ｃ）参照）。
【００４５】
キャスタ装置は、作業台１の脚部３を下向きの展開姿勢として高所作業のために使用する場合や、脚部３を折畳んで保管する場合、図７（Ａ）に示すように、キャスタ１２を天板２に対して格納姿勢Ｐ１とすることができ、図示実施形態の場合、下向き姿勢Ｐｄとされている。図示省略しているが、２組のキャスタ装置の両側に位置して脚部３、３が折畳まれるので、キャスタ１２が脚部３を越えて突出することはない。
【００４６】
キャスタ１２は、スプリング２２により構成された格納姿勢保持手段１６により格納姿勢Ｐ１を保持されているので、不慮に天板２の妻側縁部８ａから突出することはない。このため、作業台１を高所作業のために使用するとき、作業者の足がキャスタ１２に引っ掛かるようなことはない。また、複数台の折畳んだ作業台１を積層することにより保管するとき、上下の作業台の間でキャスタ１２が押し潰されるようなこともない。
【００４７】
作業台１を作業場所に応じて移動する場合、或いは、作業場所から保管場所に移動する場合は、作業台１を折畳むと共に、キャスタ１２を突出姿勢Ｐ２として、図２（Ｂ）に示すように、作業台１を地面に対して傾斜させ、車輪１４を地面の上で転動することにより、移動させることができる。作業台１は、全体が金属製とされ、相当の重量物であるため、キャスタ１２により持ち上げを必要とせずに移動できることは、労働環境の改善に大きく貢献する。
【００４８】
キャスタ１２を格納姿勢Ｐ１から突出姿勢Ｐ２にするためには、図７（Ｂ）（Ｃ）に示すように、操作片２７を把持し、スプリング２２に抗してキャスタ１２を引き出し、旋回させた後、把持から解放するだけで良く、操作性が極めて良好である。この状態で、係止部２８により構成された突出姿勢保持手段１７がキャスタ１２を保持し、上向き姿勢Ｐｕとされたキャスタ１２の車輪１４は、接地面を天板２の上向き方向Ｕに向けて臨ませる。従って、図２（Ｂ）に示すように、折畳んだ作業台１を地面の上で傾斜させてやれば、車輪１４の接地面が地面に接地させられる。
【００４９】
図示実施形態における２組のキャスタ１２、１２は、下向き姿勢Ｐｄから上向き姿勢Ｐｕに向けて旋回する際、図７（Ｂ）に示すように、それぞれの操作片２７、２７が相互に向かい合うように反対方向に旋回させられ、旋回後は、図７（Ｃ）に示すように、先端部２７ｂをロック手段９の摘み部９ａの内側に係止し、該摘み部９ａが係止解除方向Ｍに向けて移動することを阻止する。つまり、ロック手段９は、脚部３を折畳んだ状態で回動不能にロックし、前記先端部２７ｂにより、ロックを解除できないように保持されている。
【００５０】
このため、折畳んだ作業台１をキャスタ１２により移動するとき、振動や外力を受けることにより不慮にロック手段９のロックが解除されることはないので、突然、脚部３が展開方向に回動するという危険はない。
【００５１】
また、作業台１により高所作業を行うために、脚部３を折畳み姿勢から展開姿勢に向けて回動させる際は、ロック手段９を係止解除方向Ｍに移動することによりロックを解除しなければならないが、このようなロック解除を可能にするためには、キャスタ１２を格納姿勢Ｐ１にする必要がある。つまり、作業者がキャスタ１２を格納姿勢Ｐ１とせずに脚部３を展開させることはできないから、高所作業中、キャスタ１２が天板２から突出しているという好ましくない事態を招来することはない。
【００５２】
作業台１の移動中、キャスタ１２は、突出姿勢保持手段１７により突出姿勢Ｐ２を保持されているので、傾斜させられた作業台の荷重を好適に支持する。図示実施形態の場合、上述のように、それぞれ鋭角とされた角度θ１と角度θ２を挟んで隣接する位置において、軸支部材１３に設けられた係止部２８の第１係止部２８ａと第２係止部２８ｂが妻側フレーム６の側端面６ｂと側下面６ｃを抱持した安定状態で固定されている。このため、地面上を移動中に移動方向の変更等により車輪１４に対して荷重やトルクが作用しても、軸支部材１３が好適に耐え、姿勢を崩すことはなく、キャスタ１２としての機能を好適に果たすことができる。
【００５３】
キャスタ１２を突出姿勢Ｐ２から再び格納姿勢Ｐ１とするときは、操作片２７を把持し、スプリング２２に抗してキャスタ１２を外部空間Ｓ２に向けて少しだけ移動すれば、前記係止部２８の係止が解除されるので、キャスタ１２を下向き姿勢Ｐｄとするように旋回させることができる。そこで、旋回させた後、把持から解放するだけで、キャスタ１２は、廻り止め手段２４により下向き姿勢Ｐｄを保持された状態で、スプリング２２により自動的に格納姿勢Ｐ１に向けて復帰するので、操作性が極めて良好である。
【符号の説明】
【００５４】
１  作業台
２  天板
３  脚部
４  枢結機構
５  床材
５ａ  リブ
６  妻側フレーム
６ａ  側上面
６ｂ  側端面
６ｃ  側下面
７  桁側フレーム
８  側縁部
８ａ  妻側縁部
８ｂ  桁側縁部
９  ロック手段
９ａ  操作片
１０  踏桟
１１  手掛かり棒
１２  キャスタ
１３  軸支部材
１４  車輪
１５  キャスタ支持機構
１６  格納姿勢保持手段
１７  突出姿勢保持手段
１８  スライダ
１８ａ  雄ネジ
１９  ホルダ
２０  保持部材
２１  取付台
２２  スプリング
２３  バネ受部材
２４  廻り止め手段
２５  突起
２６  スリット
２６ａ  開口部
２７  操作片
２７ａ  基部
２７ｂ  先端部
２８  係止部
２８ａ  第１係止部
２８ｂ  第２係止部
２９  ストッパ
【図１】
2018188000.tif 000003
【図２】
2018188000.tif 000004
【図３】
2018188000.tif 000005
【図４】
2018188000.tif 000006
【図５】
2018188000.tif 000007
【図６】
2018188000.tif 000008
【図７】
2018188000.tif 000009